(57)【要約】【課題】安定化電源回路に受光素子を追加しただけの簡単な構成で、負荷である発光素子の輝度が低下すると発光素子の発光量を増加させ、周囲の明るさが変動した場合にはそれに応じて視認性を維持するように発光素子の発光量を変動させる。【解決手段】安定化電源回路２０の出力電圧を分圧する分圧抵抗２６に並列に受光素子１７を設け、分圧抵抗２７に並列に受光素子１８を設ける。受光素子１７はＬＥＤである負荷１５の光を受け、受光素子１８は周囲の光を受けるものとする。安定化電源回路２０の出力電圧は、受光素子１７の受ける光量が減少すると上昇し、受光素子１８の受ける光量が減少すると低下する。【選択図】図３
2008065739.tif 000002
【特許請求の範囲】
【請求項１】
電源と、前記電源から入力された電圧を所定の出力電圧に変換して出力する安定化電源回路と、前記安定化電源回路に接続され前記所定の電圧を出力し負荷に供給する出力電圧ラインとを備えた安定化電源装置において、
前記安定化電源回路は、前記電源から電圧が入力され前記出力電圧ラインに変換した電圧を出力するトランジスタと、前記所定の電圧を分圧した電圧と基準電圧とを比較する比較器とを備え、
前記出力電圧ラインと前記比較器の前記所定の電圧を分圧した電圧の入力端子との間に配置された第１の受光素子およびＧＮＤラインと前記比較器の前記所定の電圧を分圧した電圧の入力端子との間に配置された第２の受光素子のうち少なくとも一方の受光素子を備え、前記第１の受光素子の受光量が増加すると前記所定の出力電圧が上昇し、前記第２の受光素子の受光量が増加すると前記出力電圧が低下することを特徴とする安定化電源装置。
【請求項２】
前記負荷が発光素子であり、前記第１の受光素子が前記発光素子の光を受け、前記第２の受光素子が周囲の光を受ける請求項１の安定化電源装置。
【請求項３】
前記出力電源ラインに過電圧保護回路を接続した請求項１または請求項２のいずれかに記載の安定化電源装置。
【請求項４】
前記出力電源ラインに過電流保護回路を接続した請求項１〜３のいずれかに記載の安定化電源装置。
【請求項５】
前記第１の受光素子および前記第２の受光素子が、フォトトランジスタである請求項１〜４のいずれかに記載の安定化電源装置。
【請求項６】
前記安定化電源回路部が、降圧チョッパレギュレータ、昇圧チョッパレギュレータまたは昇降圧チョッパレギュレータである請求項１〜５のいずれかに記載の安定化電源装置。
【請求項７】
前記発光素子に流れる電流値を検出する電流計を設けた請求項２〜６のいずれかに記載の安定化電源装置。
【請求項８】
請求項１〜７の安定化電源装置を備えることを特徴とする電子機器。
【発明の詳細な説明】
【技術分野】
【０００１】
本発明は、安定化電源装置およびそれを備えた電子機器に関するものであり、特にＬＥＤ等の発光素子を用いた電子機器の電源として用いられる安定化電源装置およびその電子機器に関するものである。
【背景技術】
【０００２】
発光素子であるＬＥＤ（Ｌｉｇｈｔ  Ｅｍｉｔｔｉｎｇ  Ｄｉｏｄｅ；発光ダイオード）は、電子機器の照明装置、例えば液晶表示装置のバックライトなどとして、広く用いられている。
【０００３】
ＬＥＤに一定の電圧を供給し続けた場合、時間の経過とともに輝度が低下する。そこで、輝度が低下してもＬＥＤの発光量を維持できる、図５のブロック図に示すような照明装置が従来提案されている。図５の照明装置１１０は、ＬＥＤ１１５と、ＬＥＤ１１５に電圧を供給する電源部１１１と、受光ユニット１１７と、受光ユニット１１７の受光量の変動に応じてＬＥＤ１１５へ供給する電圧を変動させるように指示を出す制御回路１１９と、制御回路１１９の指示を受けてＬＥＤ１１５へ供給する電圧を調整する安定化電源回路１２０とを備える。この場合、受光ユニット１１７をＬＥＤ１１５の光を受けるものとし、制御回路１１９を受光ユニット１１７の受光量が減少するとＬＥＤ１１５へ供給する電圧を上昇させるように指示を出すものとすることによって、ＬＥＤ１１５の輝度が低下しても発光量を維持することができる。
【０００４】
一方、例えば液晶表示装置のバックライトとして図５の照明装置を用いる場合、受光ユニット１１７を、周囲の光を受けるものとし、制御回路１１９を受光ユニット１１７の受光量が増加するとＬＥＤ１１５へ供給する電圧を上昇させるように指示を出すものとすることによって、周囲が明るくなってもＬＥＤ１１５の発光量が増大するため液晶表示装置の視認性を維持することができる。
【０００５】
また、特許文献１では、図５のような構成であり、対象物からの反射光を受光する受光素子を有する受光ユニット（受光回路部）と、受光素子による受光量に基づきＬＥＤの供給電流を調整して発光量を一定に制御する制御回路（照明制御部）とを備えるＬＥＤを用いた照明装置が提案されている。この照明装置では、温度や電源電圧が変動したり、ＬＥＤが劣化したりしても、対象物の照度を一定とすることができる。
【０００６】
また、特許文献２では、自然光および人工光の照度を検出する受光ユニット（光センサー）の出力に基づいて制御回路（調光制御回路）によって照明灯への供給入力を制御して、自然光量が変動しても部屋全体の明るさを適正に維持できる照明灯の調光制御方法が提案されている。
【特許文献１】特開平３−９５９７７号公報（第２頁−第３頁、第１図）
【特許文献２】特開平１０−２８４２５８号公報（第３頁、図１）
【発明の開示】
【発明が解決しようとする課題】
【０００７】
しかし、上述の照明装置等では、受光ユニットおよび制御回路を設けるために多くの素子が必要である。したがって、消費電力の増加や、回路の面積の増大による電子機器の小型化が困難になるなどの問題がある。
【０００８】
そこで、本発明は、受光素子を設けるだけで、発光素子の輝度が低下しても発光量の低下を防ぐことができる安定化電源装置およびそれを備えた電子機器を提供することを目的とする。また、周囲が明るくなったときに発光素子の発光量を増加させることができる安定化電源装置およびそれを備えた電子機器を提供することを目的とする。
【課題を解決するための手段】
【０００９】
上記目的を達成するために本発明は、電源と、前記電源から入力された電圧を所定の出力電圧に変換して出力する安定化電源回路と、前記安定化電源回路に接続され前記所定の電圧を出力し負荷に供給する出力電圧ラインとを備えた安定化電源装置において、前記安定化電源回路は、前記電源から電圧が入力され前記出力電圧ラインに変換した電圧を出力するトランジスタと、前記所定の電圧を分圧した電圧と基準電圧とを比較する比較器とを備え、前記出力電圧ラインと前記比較器の前記所定の電圧を分圧した電圧の入力端子との間に配置された第１の受光素子およびＧＮＤラインと前記比較器の前記所定の電圧を分圧した電圧の入力端子との間に配置された第２の受光素子のうち少なくとも一方の受光素子を備え、前記第１の受光素子の受光量が増加すると前記所定の出力電圧が上昇し、前記第２の受光素子の受光量が増加すると前記出力電圧が低下することを特徴とする。
【００１０】
また本発明は、上記構成の安定化電源装置において、前記負荷が発光素子であり、前記第１の受光素子が前記発光素子の光を受け、前記第２の受光素子が周囲の光を受けるものとしてもよい。
【００１１】
また本発明は、上記構成の安定化電源装置において、前記出力電源ラインに過電圧保護回路を接続してもよい。
【００１２】
また本発明は、上記構成の安定化電源装置において、前記出力電源ラインに、過電流保護回路を接続してもよい。
【００１３】
また本発明は、上記構成の安定化電源装置において、前記第１の受光素子および前記第２の受光素子を、フォトトランジスタとしてもよい。
【００１４】
また本発明は、上記構成の安定化電源装置において、前記安定化電源回路部を、降圧チョッパレギュレータ、昇圧チョッパレギュレータまたは昇降圧チョッパレギュレータとしてもよい。
【００１５】
また本発明は、上記構成の安定化電源装置において、前記発光素子に流れる電流値を検出する電流計を設けてもよい。
【００１６】
また本発明の電子機器は、上記構成の安定化電源装置を備えたことを特徴とする。
【発明の効果】
【００１７】
本発明によると、安定化電源回路に受光素子を追加しただけの簡単な構成で、受光素子の受光量が変動した場合に、それに応じて負荷に印加する出力電圧を上昇または低下させることができる。
【００１８】
また本発明によると、負荷を発光素子とした場合、発光素子の輝度が低下すると、安定化電源回路によって出力電圧を上昇させて発光素子の発光量を増加させ、周囲の明るさが変動した場合にはそれに応じて出力電圧を変動させて視認性を維持するように発光素子の発光量を変動させることができる。
【発明を実施するための最良の形態】
【００１９】
〈第１の実施形態〉
本発明の第１の実施形態について図面を参照して説明する。図１は本発明の第１の実施形態にかかる安定化電源装置の回路図である。
【００２０】
まず、安定化電源装置１０の構成について説明する。安定化電源装置１０は、図１に示すように、入力電源１１と、安定化電源回路２０と、平滑コンデンサ１３とを備え、安定化電源回路２０の出力電圧が、安定化電源回路２０の出力電源ライン１６に接続された、発光素子であるＬＥＤからなる負荷１５に供給される。
【００２１】
安定化電源回路２０において、ＰＮＰ型のバイポーラトランジスタから成る出力トランジスタ２２のエミッタには入力電源１１の直流の出力電圧が与えられており、そのコレクタは、分圧抵抗２６および２７からなる直列回路と、平滑コンデンサ１３とをそれぞれ介して接地されている。また、出力トランジスタ２２のコレクタと、分圧抵抗２６および平滑コンデンサ１３との接続ノードは出力電源ライン１６上に設けられている。
【００２２】
分圧抵抗２６と分圧抵抗２７との接続点は、オペアンプから成る比較器２４の反転入力端子（−）に接続されている。比較器２４の非反転入力端子（＋）には、基準電圧発生回路２５が出力する基準電圧Ｖｒｅｆが与えられている。比較器２４の出力は、ＮＰＮ型のバイポーラトランジスタから成る制御トランジスタ２３のベースに与えられている。制御トランジスタ２３において、コレクタは出力トランジスタ２２のベースに接続されており、エミッタは接地されている。また、入力電源１１の出力電圧は、比較器２４および基準電圧発生回路２５に、それぞれの電源電圧として与えられている。
【００２３】
このように安定化電源回路２０は、出力トランジスタ２２、制御トランジスタ２３、比較器２４、基準電圧発生回路２５、分圧抵抗２６、分圧抵抗２７および出力電源ライン１６を備えるチョッパレギュレータである。
【００２４】
入力電源１１から供給された電圧を出力トランジスタ２２によって降圧して平滑コンデンサ１３で安定化させ、負荷１５に安定化された電圧を供給する。この電圧は、分圧抵抗２６および２７によって分圧され、比較器２４に供給される。比較器２４は、この分圧された電圧すなわち分圧抵抗２７にかかる電圧と、基準電圧Ｖｒｅｆとを比較する。比較器２４は、分圧抵抗２７にかかる電圧が低いほど高電位の電圧を制御トランジスタ２３のベースに出力して、制御トランジスタ２３のベース電流を増加させ、出力トランジスタ２２のベース電流を増加させる。このようにして安定化電源回路２０は、分圧抵抗２６および２７によって出力する電圧値が設定され、かつ安定化された電圧を負荷１５に供給する。
【００２５】
本実施形態の安定化電源装置１０は、安定化電源回路２０の出力電源ライン１６と、分圧抵抗２６と分圧抵抗２７の接続点との間に受光素子１７を備える。すなわち受光素子１７は出力電源ライン１６と比較器２４の反転入力端子（−）との間に接続されている。受光素子１７としては、例えばフォトダイオードを用いることができる。この場合、フォトダイオードは、出力電源ライン１６側にアノード、比較器２４の反転入力端子側にカソードを接続する。
【００２６】
このように構成することにより、受光素子１７は受光量が増加すると分圧抵抗２７に供給する電圧を上昇させるため、分圧抵抗２７にかかる電圧が上昇する。すると、分圧抵抗２７にかかる電圧と基準電圧Ｖｒｅｆとを比較する比較器２４が制御トランジスタ２３に供給するベース電流を減少させるため、出力トランジスタ２２のベース電流も減少し、安定化電源回路２０の出力する電圧が低下する。逆に、受光素子１７の受光量が減少すると、安定化電源回路２０の出力する電圧が上昇する。
【００２７】
本実施形態の安定化電源装置１０は、安定化電源回路に受光素子を１個追加するだけで実現できるため、多くの素子からなる受光ユニットや制御回路を設けた場合と比べて小型化が可能であり、消費電力も少なくすることができる。したがって、電池で駆動する小型の電子機器に好適に用いることができる。
【００２８】
本実施形態の安定化電源装置１０において、負荷１５をＬＥＤとし、受光素子１７によってこのＬＥＤの光を受けるものとすると、ＬＥＤの輝度が低下した場合には、安定化電源回路２０の出力する電圧が上昇するため、ＬＥＤの発光量の低下を防ぐことができる。
【００２９】
したがって、例えば、負荷１５を直列に接続された複数の白色ＬＥＤとし、本実施形態の安定化電源装置１０にこの負荷１５を複数並列に接続して液晶表示装置のバックライトとして用いた場合には、長期間の使用によってＬＥＤの輝度が低下しても、バックライトの発光量の低下による液晶表示装置の視認性の低下を防ぐことができる。
【００３０】
〈第２の実施形態〉
本発明の第２の実施形態について図面を参照して説明する。図２は本発明の第２の実施形態にかかる安定化電源装置の回路図である。第２の実施形態は、受光素子が設けられている位置が異なる以外は第１の実施形態と同様であり、実質上同一の部分には同一の符号が付してある。
【００３１】
本実施形態の安定化電源装置１０は、図２に示すように、ＧＮＤと、安定化電源回路２０の分圧抵抗２６と分圧抵抗２７の接続点との間に受光素子１８を備える。すなわち受光素子１８は一端が比較器２４の反転入力端子（−）に接続され、他端が接地されている。受光素子１８としては、例えばフォトダイオードを用いることができる。この場合、フォトダイオードは、比較器２４の反転入力端子側にアノードを接続し、カソードは接地する。
【００３２】
このように構成することにより、受光素子１８は受光量が増加すると分圧抵抗２７に供給する電圧を低下させるため、分圧抵抗２７にかかる電圧が低下する。すると、分圧抵抗２７にかかる電圧と基準電圧Ｖｒｅｆとを比較する比較器２４が制御トランジスタ２３に供給するベース電流を増加させるため、出力トランジスタ２２のベース電流が増加し、安定化電源回路２０の出力する電圧が上昇する。逆に、受光素子１８の受光量が減少すると、安定化電源回路２０の出力する電圧が低下する。
【００３３】
本実施形態の安定化電源装置１０において、負荷１５をＬＥＤとし、受光素子１８によって周囲の光を受けるものとすると、周囲が明るくなった場合には、安定化電源回路２０の出力する電圧が上昇するため、ＬＥＤの発光量が増加する。一方、周囲が暗くなった場合には、安定化電源回路２０の出力する電圧が低下し、ＬＥＤの発光量が減少する。
【００３４】
したがって、例えば、負荷１５を直列に接続された複数の白色ＬＥＤとし、本実施形態の安定化電源装置１０にこの負荷１５を複数並列に接続して液晶表示装置のバックライトとして用いた場合には、室内から野外に出た場合のように周囲が明るくなってもバックライトの発光量が増加するため液晶表示装置の視認性を維持することができる。逆に周囲が暗くなった場合にはバックライトの発光量を低下させ、消費電力を低減させることができる。
【００３５】
〈第３の実施形態〉
本発明の第３の実施形態について図面を参照して説明する。図３は本発明の第３の実施形態にかかる安定化電源装置の回路図である。第２の実施形態は、受光素子が２個設けられている点が異なる以外は第１の実施形態と同様であり、実質上同一の部分には同一の符号が付してある。
【００３６】
本実施形態の安定化電源装置１０は、図３に示すように、安定化電源回路２０の出力電源ライン１６と、分圧抵抗２６と分圧抵抗２７の接続点との間に受光素子１７を備える。さらにＧＮＤと、安定化電源回路２０の分圧抵抗２６と分圧抵抗２７の接続点との間に受光素子１８を備える。すなわち受光素子１７は出力電源ライン１６と比較器２４の反転入力端子（−）との間に接続され、受光素子１８は一端が比較器２４の反転入力端子（−）に接続され、他端が接地されている。受光素子１７および１８としては、例えばフォトダイオードを用いることができる。この場合、受光素子１７のフォトダイオードは、出力電源ライン１６側にアノード、比較器２４の反転入力端子側にカソードを接続し、受光素子１８のフォトダイオードは、比較器２４の反転入力端子側にアノードを接続し、カソードは接地する。
【００３７】
このように構成することにより、上述したように、受光素子１７は受光量が増加すると安定化電源回路２０の出力する電圧が低下し、逆に受光素子１７の受光量が減少すると安定化電源回路２０の出力する電圧が上昇する。また、受光素子１８は受光量が増加すると安定化電源回路２０の出力する電圧が上昇し、逆に受光素子１８の受光量が減少すると安定化電源回路２０の出力する電圧が低下する。
【００３８】
本実施形態の安定化電源装置１０は、安定化電源回路に受光素子を２個追加するだけで実現できるため、多くの素子からなる受光ユニットや制御回路を設けた場合と比べて小型化が可能であり、消費電力も少なくすることができる。したがって、電池で駆動する小型の電子機器に好適に用いることができる。
【００３９】
本実施形態の安定化電源装置１０において、負荷１５をＬＥＤとし、受光素子１７によってこのＬＥＤの光を受けるものとすると、ＬＥＤの輝度が低下した場合には、安定化電源回路２０の出力する電圧が上昇するため、ＬＥＤの発光量の低下を防ぐことができる。また、受光素子１８によって周囲の光を受けるものとすると、周囲が明るくなった場合には、安定化電源回路２０の出力する電圧が上昇するため、ＬＥＤの発光量が増加する。一方、周囲が暗くなった場合には、安定化電源回路２０の出力する電圧が低下し、ＬＥＤの発光量が減少する。
【００４０】
したがって、例えば、負荷１５を直列に接続された複数の白色ＬＥＤとし、本実施形態の安定化電源装置１０にこの負荷１５を複数並列に接続して液晶表示装置のバックライトとして用いた場合には、周囲が明るくなってもバックライトの発光量が増加するため液晶表示装置の視認性を維持することができる。逆に周囲が暗くなった場合にはバックライトの発光量を低下させ、消費電力を低減させることができる。また、長期間の使用によってＬＥＤの輝度が低下しても、バックライトの発光量の低下による液晶表示装置の視認性の低下を防ぐことができる。
【００４１】
なお、第１〜第３の実施形態において、安定化電源装置１０に過電圧保護回路を設けてもよい。これにより、安定化電源回路２０の出力電圧が高くなりすぎて、負荷１５や安定化電源回路２０を破壊するのを防ぐことができる。また、安定化電源装置１０に過電流保護回路を設けてもよい。これにより、安定化電源回路２０の出力電流が大きくなりすぎて、負荷１５や安定化電源回路２０を破壊するのを防ぐことができる。
【００４２】
第３の実施形態において、安定化電源装置１０に過電流保護回路および過電圧保護回路を設けた例を図４に示す。まず、安定化電源回路２０は、３入力１出力のＡＮＤゲート２９を備え、その出力は制御トランジスタ２３のベースに与えられ、その入力の１つには比較器２４の出力が与えられる。
【００４３】
過電流保護回路３０は、出力トランジスタ２２のコレクタに一端が接続され平滑コンデンサ１３と負荷１５との接続ノードに他端が接続された抵抗３１と、抵抗３１の一端と他端の電圧が入力される増幅器３２と、基準電圧Ｖｒｅｆ１を出力する基準電圧発生回路３４と、反転入力端子に増幅器３２の出力が入力され非反転入力端子に基準電圧Ｖｒｅｆ１が入力される比較器３３とを備える。比較器３３から出力される保護信号はＡＮＤゲート２９の別の入力に与えられる。なお、基準電圧発生回路３４の一端は接地される。
【００４４】
過電圧保護回路４０は、出力トランジスタ２２のコレクタに一端が接続された分圧抵抗４１と、分圧抵抗４１の他端に一端が接続された分圧抵抗４２と、基準電圧Ｖｒｅｆ２を出力する基準電圧発生回路４４と、出力トランジスタ２２のコレクタに現れる出力電圧が分圧抵抗４１、４２で分圧されて反転入力端子に入力されるとともに非反転入力端子に基準電圧Ｖｒｅｆ２が入力される比較器４３を備える。比較器４３から出力される保護信号はＡＮＤゲート２９のまた別の入力に与えられる。なお、分圧抵抗４２の他端および基準電圧発生回路４４の一端は接地される。
【００４５】
このように構成される過電流保護回路３０は、出力電源ライン１６を流れる電流値が所定値よりも大きく、増幅器３２の出力が基準電圧Ｖｒｅｆ１よりも大きい場合、比較器３３から出力される保護信号はローとなる。逆に、出力電源ライン１６を流れる電流値が所定値よりも小さい場合、過電流保護回路３０から出力される保護信号はハイとなる。
【００４６】
また、過電圧保護回路４０は、安定化電源回路２０の出力する電圧すなわち出力トランジスタ２２のコレクタに現れる出力電圧が所定値よりも大きく、比較器４３の反転入力端子に入力される電圧が基準電圧Ｖｒｅｆ２よりも大きい場合、比較器４３から出力される保護信号はローとなる。逆に、安定化電源回路２０の出力する電圧が所定値よりも小さい場合、過電圧保護回路４０から出力される保護信号はハイとなる。
【００４７】
過電流保護回路３０の保護信号および過電圧保護回路４０の保護信号のうち、少なくとも一方がローである場合、ＡＮＤゲート２９を通じて比較器２４からの出力が制御トランジスタ２３のベースに入力されるのが禁止され、制御トランジスタ２３がオフとなるため、出力電源ライン１６を流れる電流値および出力トランジスタ２２のコレクタに現れる電圧は低下する。したがって、過電流、過電圧によって負荷１５や安定化電源回路２０を破壊するのを防ぐことができる。
【００４８】
一方、過電流保護回路３０の保護信号および過電圧保護回路４０の保護信号がいずれもハイの場合は、制御トランジスタ２３のベースにはＡＮＤゲート２９を介して比較器２４の出力が与えられ、安定化電源回路２０は受光素子１７または受光素子１８の受光量に応じた電圧を出力する。
【００４９】
また、負荷１５とＧＮＤとの間に電流計を設けてもよい。これにより、負荷１５を流れる電流がない場合や微少な場合に負荷１５がオープンであることを検出することができる。負荷１５がオープンであるとき、電流計から安定化電源回路２０を停止させる信号をＡＮＤゲート２９に入力するようにしてもよいし、安定化電源装置１０の外部に出力してもよい。この信号を安定化電源装置１０の外部に出力した場合、安定化電源回路装置１０を備えた電子機器において、エラー表示など別の動作をさせることができる。
【００５０】
なお、図４は過電圧保護回路および過電流保護回路の一例であり、同様の動作をするものであれば別の回路構成であってもよい。また、過電圧保護回路および過電流保護回路は、第１の実施形態または第２の実施形態の安定化電源装置に設けてもよく、過電圧保護回路および過電流保護回路のうち一方だけを設けてもよい。この場合、ＡＮＤゲート２９は２入力１出力のものを用いればよい。
【００５１】
また、第１〜第３の実施形態において、受光素子１１および受光素子１２のいずれかまたは両方をフォトトランジスタとしてもよい。これにより、周囲の明るさまたはＬＥＤの輝度の変化に対する電流量の変化が大きくなるため、電圧を調整できる範囲が広くなる。
【００５２】
また、第１〜第３の実施形態において、安定化電源回路２０を降圧チョッパレギュレータとしたが、昇圧チョッパレギュレータまたは昇降圧チョッパレギュレータとしても構わない。
【００５３】
携帯電話機、ＰＤＡ（Ｐｅｒｓｏｎａｌ  Ｄｉｇｉｔａｌ  Ａｓｓｉｓｔａｎｔｓ）、デジタルカメラ等の液晶表示装置が用いられる携帯型電子機器において、バックライトの駆動のために低電圧のバッテリからなる入力電源１１から１２Ｖ程度の電圧を作り出さなければならない。この場合、安定化電源回路２０を昇圧チョッパレギュレータとすることにより、最小限の損失でバッテリの電圧を昇圧し、バックライトを駆動することができる電圧を供給することができる。
【００５４】
また、例えば自動車内で用いられるカーナビゲーションシステムやＡＶ（Ａｕｄｉｏ  Ｖｉｓｕａｌ）システムのように、液晶表示装置が用いられる電子機器において自動車のバッテリなどが入力電源１１である場合、その電圧が大きく変動する。したがって、例えば１２Ｖ程度のバックライトの駆動に必要な電圧を得るために、バッテリの電圧が高い場合には降圧、低い場合には昇圧する必要がある。この場合、安定化電源回路２０を昇降圧チョッパレギュレータとすることによって、最小限の損失でバッテリの電圧を昇圧または降圧し、所望の電圧を供給することができる。
【産業上の利用可能性】
【００５５】
本発明は、安定化電源回路を備えた安定化電源装置に利用可能である。また、負荷をＬＥＤとして、ＬＥＤの調光を行うことのできる安定化電源装置に適用可能である。さらに、負荷をＬＥＤとする場合、白色ＬＥＤを用いて液晶表示装置の照明源として用いられるものとしても利用可能である。
【図面の簡単な説明】
【００５６】
【図１】は、第１の実施形態にかかる安定化電源装置の回路図である
【図２】は、第２の実施形態にかかる安定化電源装置の回路図である
【図３】は、第３の実施形態にかかる安定化電源装置の回路図である
【図４】は、第３の実施形態にかかる別の安定化電源装置の回路図である
【図５】は、従来の照明装置の構成を示すブロック図である。
【符号の説明】
【００５７】
１０    安定化電源装置
１１    入力電源
１５    負荷
１６    出力電源ライン
１７    受光素子
１８    受光素子
２０    安定化電源回路
２２    出力トランジスタ
２４    比較器
３０    過電流保護回路
４０    過電圧保護回路
【図１】
2008065739.tif 000003
【図２】
2008065739.tif 000004
【図３】
2008065739.tif 000005
【図４】
2008065739.tif 000006
【図５】
2008065739.tif 000007